(57)【特許請求の範囲】
【請求項１】
電子ピアノ、キーボード等の電子鍵盤楽器を覆う防塵カバーにおいて、前記電子鍵盤楽器の上面を覆う上面部と、該上面部に連なり前面に垂下する前面部と、該上面部の後部にタックおよびステッチによる所定幅を有する境界ラインを介して連なり垂下する背面部とよりなり、
該背面部の裏面および／または前面部の裏面において各長手方向に沿って所定の摩擦係数を有するスベリ止め部材を固着配設しており、
且つ、前記背面部の裏面における少なくとも両端部分、およびそれに対応する前面部の裏面位置に留め具雌部材を設けたシート状防塵カバーであり、
前記電子鍵盤楽器を覆ったシート状防塵カバーが、前記留め具雌部材に係合する留め具雄部材を両端部に備えた少なくとも２本のベルト状弾性体によって電子鍵盤楽器に固定されることを特徴とする防塵カバー。
【請求項２】
前記所定の摩擦係数を有するスベリ止め部材による摩擦抵抗力が１〜５ｋｇｆであることを特徴とする請求項１に記載の防塵カバー。
【請求項３】
前記所定の摩擦係数を有するスベリ止め部材が天然または合成軟質ゴム、ポリウレタン、コルク材より選ばれたベルト状部材であることを特徴とする請求項１または２に記載の防塵カバー。
【請求項４】
前記留め具雌部材および留め具雄部材が繊維素系係合テープであることを特徴とする請求項１乃至３のいずれか１項に記載の防塵カバー。
【請求項５】
前記シート状防塵カバーが耐静電性または／および防水性布よりなることを特徴とする請求項１乃至４のいずれか１項に記載の防塵カバー。
【請求項６】
少なくとも前記前面部に縁模様が設けられていることを特徴とする請求項１乃至５のいずれか１項に記載の防塵カバー。
【発明の詳細な説明】
【０００１】
【発明の属する技術分野】
本発明は、電子ピアノ、キーボード等の電子鍵盤楽器（以下、電子鍵盤楽器という）に使用される防塵カバーに関するものである。
【０００２】
【従来の技術】
従来、固定的な蓋や布製キーカバーが用意されている本格的なグランド型やスタンド型ピアノと異なり、比較的簡易型の電子ピアノやキーボードなどでは、それを覆うカバーを用いるケースは少なく、使用場所や保管条件によっては、塵挨による汚染が生じていた。一旦塵挨がつもると、鍵盤の隙間から侵入し、鍵盤そのものの作動に悪影響を及ぼすばかりか、電子ピアノやキーボードにおける電気系統のトラブルに到る場合もある。
【０００３】
この対策として、本格的なピアノにおける鍵盤の蓋のごときものを、直接電子ピアノやキーボード等にとりつけることも行われているが、主に簡易型を対象とする電子鍵盤楽器では、重量が嵩むばかりか、コスト的にも好ましくない。
また、単純にシートなどで覆うことも行われているが、これらを立て掛けて保管する場合などではシートが必ずしも必要部分を完全に覆っていないとか、シートを適正に保持するのに余計な手間をかけなければならないなどの不具合があった。
【０００４】
特に、幼児や猫などペツトがシートを引っ張たり、シートをずらしたりして、シートがカバーの役を果たせないケースが屡々見受けられる。その度にシートをかけ直す手間は時間的なロスぱかりでなく、精神衛生的にも甚だ好ましくないものである。
【０００５】
【発明が解決しようとする課題】
前述のごとく、近年その手軽さや、性能の多角化や音質の良さなどにより、多くの使用者を擁する電子ピアノやキーボード等の電子鍵盤楽器は、それを持ち運こぶ時や保管時に使用する手軽で、且つ確実に防塵の用をなす防塵用カバーが強く望まれてきた。
【０００６】
上述の状況に鑑み、本発明は、電子鍵盤楽器に使用する簡単、安価でしかも効果的な防塵カバーを提供することをその目的としている。
【０００７】
【課題を解決するための手段】
本発明の防塵カバーは、次のように構成したものである。
（１）電子鍵盤楽器の上面を覆う上面部と、該上面部に連なり前面に垂下する前面部と、該上面部の後部にタックおよびステッチによる所定幅を有する境界ラインを介して連なり垂下する背面部とよりなり、
該背面部の裏面および／または前面部の裏面において各長手方向に沿って所定の摩擦係数を有するスベリ止め部材を固着配設しており、
且つ、前記背面部の裏面における少なくとも両端部分、およびそれに対応する前面部の裏面位置に留め具雌部材を設けたシート状防塵カバーであり、
前記電子鍵盤楽器を覆ったシート状防塵カバーが、前記留め具雌部材に係合する留め具雄部材を両端部に備えた少なくとも２本のベルト状弾性体によって電子鍵盤楽器に固定されるものである。
【０００８】
（２）また、上述の（１）において、所定の摩擦係数を有するスベリ止め部材による摩擦抵抗力が１〜５ｋｇｆであり、
（３）上述の（１）または（２）において、所定の摩擦係数を有するスベリ止め部材が天然または合成軟質ゴム、ポリウレタン、コルク材より選ばれたベルト状部材であり、
（４）さらに、上述の（１）乃至（３）における留め具部材を繊維素系係合テープ（以下、マジツクテープ（登録商標）という）としたものである。
【０００９】
（５）また、上述の（１）乃至（４）において、シート状防塵カバーを耐静電性または／および防水性布よりなるものであり、
（６）さらに、上述の（１）乃至（５）において、少なくとも前記前面部に縁模様が設けられているものである。
【００１０】
【発明の実施の形態】
［実施の形態１］
図１は、本発明の実施の形態の防塵カバーを裏面より見た説明図である。
図において、１は防塵カバー、２は上面部、３は前面部、４は背面部、５は上面部と背面部との境界ライン、６はスベリ止め部材、７は背面部の裏面に設けられた留め具雌部材、８は前面部裏面に設けられた留め具雌部材である。
【００１１】
図２は、本実施の形態に使用されるベルト状弾性体の説明図である。
図において、１０はベルト状弾性体、１１はベルト状弾性体本体、１２、１３は前記留め具雌部材７、８と係合する留め具雄部材である。
本留め具雄部材１２、１３は、ベルト状弾性体本体の両端部の両面に設けられている。ベルト状弾性体本体は通常は市販されている幅広のゴムテープを使用する。
また、留め具雌部材７、８および留め具雄部材１２、１３は、本実施の形態においては対のマジツクテープ（登録商標）を使用しているが、ベルト状弾性体による張力に耐えるものであればスナップボタンやフック等を利用することもでき、またこれに限定されるものではない。
【００１２】
本発明の特徴であるスベリ止め部材６については、幼児や猫などによりシートが引っ張られたり、ずらされたりする場合の引っ張り力やずらしカに十分耐え、防塵カバーを電子鍵盤楽器表面に保持するものでなければならない。この保持する力はスベリ止め部材６と電子鍵盤楽器の背面ボードとの間の最大静止摩擦係数μと接着力ｆにより決まるものであり、それによるカバー保持カは、多くの実験により１〜５ｋｇｆが必要であり、好ましくは２〜３ｋｇｆが望ましいことがわかった。
前記接着力は基本的にはベルト状弾性体の装着時の荷重により与えられる。
【００１３】
スベリ止め部材６は、電子鍵盤楽器の背面ボード間で大きな最大静止摩擦力を生じるものであれば如何なる材料でも良いが、天然または合成軟質ゴム系、ポリウレタン系、コルクなどの材質が適する。最大静止摩擦係数μは大きい程よいが約μ＝２〜３程度の材質を選ぶことにより上記のカバー保持力を作業性良く得ることができる。
【００１４】
図３（ａ）、（ｂ）は、本実施の形態１を電子鍵盤楽器（キーボード）に被覆した状態を模式的に示した参考図である。図３（ａ）では防塵カバーを一部カットした状態で示されており、２０は電子鍵盤楽器（キーボード）である。
なお、本実施の形態１と同一構成部分は同一の符号を付し説明を省略する。
図３（ｂ）は、防塵カバーを被覆した電子鍵盤楽器の側面を模式的に示した図である。
【００１５】
図において、防塵カバー１の境界ライン５を電子鍵盤楽器２０の上面後方ラインに合わせ、上面部２を電子鍵盤楽器２０の上面に被せる。境界ライン５の幅は小さ過ぎても大き過ぎても具合悪く、電子鍵盤楽器の上面と背面に対する防塵カバー１の対面部分が該境界ライン５によりハツキリと対面させられることが大切である。小さ過ぎれば境界ライン５が明確でなく電子鍵盤楽器のコーナー、強いてはスベリ止め部材６を有効に働せることができないし、大き過ぎるのは美観的に思わしくない。境界ライン５の幅は３〜７ｍｍ程度が好ましい。
【００１６】
次に、背面部３の裏面に設けられた留め具雌部材７にベルト状弾性１１の留め具雄部材１２を係合させ  ベルト状弾性体本体１１に十分な張力を与えながら、該ベルト状弾性１１の他の瑞部に設けられた留め具雄部材１２を前記防塵カバー１の前面部３の裏面に設けられた留め具雌部材８に係合させる。防塵カバー１の他の端部においても同様の処置を施す。
斯くして、防塵カバー１はスベリ止め部材６を介して電子鍵盤楽器２０に固定配設される。
【００１７】
［実施例］
下記仕様により防塵カバーを作成した。
0003912502.tif 000002
留め具雌部材を防塵カバー１の裏面の４隅に、またその内側で防塵カバー縁より各３０ｍｍの距離を開けて２本のスベリ止め部材６をそれそれ接着した。
【００１８】
上記防塵カバー１を前記ポータブルキーボード２０に境界ライン５を上面コーナーに合わせて被せ、ベルト状弾性体１０の中央弾性部１８０ｍｍを２８０ｍｍに拡張し、各対応留め具部材を係合した。固定配設された  防塵カバー１の上面部、前面部の境界位置にバネ計りにより荷重を掛けずれ開始の荷重を計測した。
結果ずれ開始荷重は約４．２ｋｇｆであった。本荷重は本発明の目的を十分満足するものと判断された。
ただ、ベルト状弾性体１０の装着作業性からすると、ベルト状弾性体１０に与える張力は本実施例より若干弱い値、約３ｋｇｆ程度が好ましい。
【００１９】
なお、防塵カバー１はその前面端部の形状を複雑な模様ラインにしたり、上面部にキャラクタなどの模様を適宜画すことにより、防塵の効果ばかりでなく美的効果を期待することができる。
【００２０】
【発明の効果】
本発明の防塵カバーにより以下の効果が得られる。
１）前記電子鍵盤楽器の上面を覆う上面部と、該上面部に連なり前面に垂下する前面部と、該上面部の後部にタックおよびステッチによる所定幅を有する境界ラインを介して連なり垂下する背面部とよりなり、該背面部の裏面および／または前面部の裏面において各長手方向に沿って所定の摩擦係数を有するスベリ止め部材を固着配設しており、且つ、前記背面部の裏面における少なくとも両端部分、およびそれに対応する前面部の裏面位置に留め具雌部材を設けたシート状防塵カバーであり、前記電子鍵盤楽器を覆ったシート状防塵カバーが前記留め具雌部材に係合する留め具雄部材を両端部に設けた少なくとも２本のベルト状弾性体によって電子鍵盤楽器に固定することにより、持ち運び、保存時に有効な、取り扱い簡単で安価な電子鍵盤楽器用の防塵カバーを提供できる。
【００２１】
２）前記所定の摩擦係数を有するスベリ止め部材による摩擦抵抗力を１〜５ｋｇｆとすることにより、また、３）前記所定の摩擦係数を有するスベリ止め部材を天然または合成軟質ゴム系、ポリウレタン系、コルク材より選ばれたベルトとしたことにより、４）さらに、前記留め具雌部材および留め具雄部材をマジツクテープ（登録商標）とすることにより、幼児や猫などによるカバーのずれなどが生じない、安心、確実な電子鍵盤楽器用の防塵カバーを提供できる。
【００２２】
５）前記シート状防塵カバーを耐静電性または／および防水性布とすることにより、また、６）少なくとも前記前面部に縁模様を設けることにより、より効果的な防塵作用を期待できるばかりでなく、美的効果も期待し得る電子鍵盤楽器用の防塵カバーを提供できる。
【図面の簡単な説明】
【図１】  本発明の実施の形態の防塵カバーを裏面より見た説明図である。
【図２】  本実施の形態に使用されるベルト状弾性体の説明図である。
【図３】  本実施の形態の防塵カバーを電子鍵盤楽器（キーボード）に被覆した状態を模式的に示した参考図であり、（ａ）は防塵カバーを一部カットした状態で示した図であり、（ｂ）は防塵カバーを被覆した電子鍵盤楽器の側面を模式的に示した図である。
【符号の説明】
１  防塵カバー、２  上面部、３  前面部、４  背面部、５  境界ライン、６スベリ止め部材、７  留め具雌部材、８  留め具雌部材、１０  ベルト状弾性体、１１  ベルト状弾性体本体、１２  留め具雄部材、１３留め具雄部材、２０電子鍵盤楽器。
【図１】
0003912502.tif 000003
【図２】
0003912502.tif 000004
【図３】
0003912502.tif 000005